(57)【要約】【課題】充分な強度と防水性とを確保することができる安全帯取付具構造を提供する。【解決手段】棟梁１上から一方側に上り他方側に下るように垂木２および野地板３を設け、野地板３上に屋根葺材４を葺き下ろし、一方側の屋根葺材４の頂部に水切り５を設けた軒裏を有する片流れ屋根において、棟梁１の孔１１に差込部６２を差し込んで棟梁１の側面から差込部６２へとドリフトピン６３を打ち込んで棟梁１上に当接面６１を固定し、支持部６５は両側から垂木２によって挟持固定し、この固定金具６の固定状態で、屋根葺材４と水切り５との間に支持された固定面６４に安全帯取付具７を固定して屋根葺材４と水切り５との間から安全帯取付具７を露出したものである。【選択図】  図１
2006342600.tif 000002
【特許請求の範囲】
【請求項１】
棟梁上から一方側に上り他方側に下るようにして垂木および野地板が設けられ、野地板上に屋根葺材を葺き下ろすとともに、一方側の屋根葺材の頂部に水切りを設けてなる軒裏を有する片流れ屋根において、棟梁上に、固定金具を設け、この固定金具に安全帯取付具を固定してなる取付構造であって、
固定金具は、棟梁に当接される当接面と、この当接面の下側に延設された差込部と、この差込部に穿孔された孔に水平方向から挿入されるドリフトピンと、安全帯取付具が固定される固定面と、当接面から垂木に沿って延設され、屋根葺材と水切りとの間に固定面を支持する支持部とを具備し、
棟梁に穿孔された孔に差込部が差し込まれて棟梁上に当接面が当接された状態で棟梁の側面から差込部へとドリフトピンが打ち込まれることによって棟梁上に固定されるとともに、支持部は両側から垂木によって挟持固定され、この固定状態で、固定面に安全帯取付具が固定されて屋根葺材と水切りとの間から安全帯取付具が露出するようになされたことを特徴とする安全帯取付具構造。
【発明の詳細な説明】
【技術分野】
【０００１】
本発明は、屋根の保守点検などの際に安全帯を取り付けるための安全帯取付具構造に関するものである。
【背景技術】
【０００２】
一般に、住宅建物の屋根の保守点検などの高所作業においては、墜落および滑落などによる危険を防止するために、作業者が装着した安全帯を屋根の棟部に設けられた安全帯取付具に連結して作業を行っていた。
【０００３】
従来より、このような安全帯取付具は、棟瓦を棟木に固定する際に、棟瓦と棟木との間に安全帯取付具を介在させて固定していた。そして、屋根に葺かれた瓦と棟瓦との間から安全帯取付具を露出させるようになされていた（特許文献１および２参照）。
【特許文献１】特開平８−１３５０９６号公報
【特許文献２】特開平７−３２４４４８号公報
【発明の開示】
【発明が解決しようとする課題】
【０００４】
しかし、棟木が無い木造住宅の片流れ屋根の場合、垂木や野地板の棟部に、棟部の下地板を設けて嵩上げし、この下地板の上に水切りを被せて仕上げられるため、このような下地板に安全帯取付具を固定しても、充分な強度を確保することができない。特に、棟梁よりも一方に垂木や野地板が延設されて軒裏が形成された片流れ屋根の場合、延設された垂木や野地板に加わる負荷が高くなるので、棟部の強度が不足し易くなり、充分な強度を確保できなくなる。
【０００５】
また、下地板を避けて野地板に安全帯取付具を固定すると、野地板に設けられる屋根瓦と干渉し易くなり、屋根瓦の間隙から安全帯取付具を露出させるような構造にしなければならず、防水性を確保することが困難になる。
【０００６】
本発明は、係る実情に鑑みてなされたものであって、充分な強度と防水性とを確保することができる安全帯取付具構造を提供することを目的としている。
【課題を解決するための手段】
【０００７】
上記課題を解決するための本発明の安全帯取付具構造は、棟梁上から一方側に上り他方側に下るようにして垂木および野地板が設けられ、野地板上に屋根葺材を葺き下ろすとともに、一方側の屋根葺材の頂部に水切りを設けてなる軒裏を有する片流れ屋根において、棟梁上に、固定金具を設け、この固定金具に安全帯取付具を固定してなる取付構造であって、固定金具は、棟梁に当接される当接面と、この当接面の下側に延設された差込部と、この差込部に穿孔された孔に水平方向から挿入されるドリフトピンと、安全帯取付具が固定される固定面と、当接面から垂木に沿って延設され、屋根葺材と水切りとの間に固定面を支持する支持部とを具備し、棟梁に穿孔された孔に差込部が差し込まれて棟梁上に当接面が当接された状態で棟梁の側面から差込部へとドリフトピンが打ち込まれることによって棟梁上に固定されるとともに、支持部は両側から垂木によって挟持固定され、この固定状態で、固定面に安全帯取付具が固定されて屋根葺材と水切りとの間から安全帯取付具が露出するようになされたものである。
【発明の効果】
【０００８】
以上述べたように、本発明によると、棟梁に穿孔された孔に差込部を差し込んで棟梁上に当接面を当接した状態で棟梁の側面から差込部へとドリフトピンを打ち込むことによって棟梁上に固定金具を固定するとともに、固定金具の支持部の両側から垂木によって挟持固定しているので、この固定金具の固定面に固定される安全帯取付具は、軒裏を有する片流れ屋根にありながらも充分な強度を確保することができる。
【０００９】
また、この固定状態で、固定金具は、屋根葺材と水切りとの間に支持された固定面に安全帯取付具を固定して、屋根葺材と水切りとの間から安全帯取付具を露出させるので、防水性を確保することができる。
【発明を実施するための最良の形態】
【００１０】
以下、本発明の実施の形態を図面を参照して説明する。
【００１１】
図１は、安全帯取付具構造の全体構成の概略を示し、図２ないし図４は同安全帯取付具構造の施工状態を示し、図５は同安全帯取付具構造に用いられる固定金具の施工状態を示している。
【００１２】
すなわち、この安全帯取付具構造は、棟梁１上から一方側に上り他方側に下るようにして垂木２および野地板３が設けられ、野地板３上に屋根葺材４を葺き下ろすとともに、一方側の屋根葺材４の頂部に水切り５を設けてなる軒裏を有する片流れ屋根において、棟梁１上に、固定金具６を設け、この固定金具６に安全帯取付具７を固定して構成されている。
【００１３】
片流れ屋根は、棟梁１上から一方側に上り他方側に下るようにして垂木２が設けられている。
【００１４】
垂木２の上端木口には、片棟破風下地板２１が設けられている。この片棟破風下地板２１の裏面の隣接する垂木２、２同士の上端部間には、力板２３が設けられている。この力板２３は、垂木２に対して直行する水平方向の剛性を確保するようになされている。また、片棟破風下地板２１が設けられた側の棟梁１の一側面には外壁パネル８が設けられ、この外壁パネル８から片棟破風下地板２１までの間の垂木２の部分には、軒裏パネル９が設けられて片棟破風下地板２１から外壁パネル８までに至る下側に、軒裏を形成するするようになされている。さらに、垂木２の上端部近傍の上面には、木口に設けられた片棟破風下地板２１と連続するように水切り５の下地板２２が設けられている。この下地板２２は、固定金具６の取付位置の部分だけが開口するようになされている。
【００１５】
野地板３は、上記下地板２２よりも下側の垂木２の上面に設けられる。
【００１６】
屋根葺材４は、セメント瓦からなり、上記野地板３の上に葺き下ろされる。
【００１７】
水切り５は、上記片棟破風下地板２１および下地板２２の表面に設けられる。なお、水切り５を設けるに先立って、下地板２２の表面には、捨て水切り５１が設けられる。捨て水切り５１は、下地板２２と野地板３の上端部に沿うように形成されており、野地板３の上端部に沿った部分には、屋根葺材４の上端部を差し込むことができるようになされた差込部５１ａが形成されている。また、下地板２２に沿った部分は、固定金具６の取付位置の部分に凹設部５１ｂが形成されている。
【００１８】
固定金具６は、図 5に示すように、棟梁１に当接される当接面６１と、この当接面６１の下側に延設された差込部６２と、この差込部６２に穿孔された孔６２ａに水平方向から挿入されるドリフトピン６３と、安全帯取付具７が固定される固定面６４と、当接面６１から垂木２に沿って延設され、屋根葺材４と水切り５との間に固定面６４を支持する支持部６５とを具備して構成されている。当接面６１は、棟梁１上に当接可能な鋼板からなり、この当接面６１の下側には、１４０ｍｍの中心間隔をあけて約３２ｍｍの直径の鋼管が約９５ｍｍの長さとなるように溶接固定されて差込部６２が形成されている。この差込部６２の下端部から約２０ｍｍの位置には、差込部６２に対して直行する水平方向に沿って直径約１２．５ｍｍの孔６２ａが穿孔されている。この孔６２ａには直径約１２ｍｍの鋼材からなるドリフトピン６３が挿入される。差込部６２間に位置する当接部６１の上側には、厚さ約６ｍｍの鋼板が溶接固定されて支持部６５が形成されている。この支持部６５は、棟梁１の上から一方側に上るように設けられた垂木２に沿うように溶接固定されている。そして、この支持部６５の上面には、鋼板からなる固定面６４が溶接固定されている。  この固定金具６を棟梁１に固定するには、まず固定金具６を固定しようとする棟梁１の上面に差込部６２を差し込むための孔１１を穿孔しておく。また、この孔１１に差込部６２を差し込んだ後、棟梁１の側面からドリフトピン６３を打ち込むための孔１２も穿孔しておく。そして、棟梁１の孔１１に差込部６２を差し込むようにして棟梁１の上面に固定金具６の当接部６１を当接した後、棟梁１の孔１２からドリフトピン６３を打ち込む。また、支持部６５の両側に垂木２を設け、支持部６５に設けられたボルト孔６５ａと、このボルト孔６５ａに合致するように垂木２に設けられたボルト孔２ａとに挿通するようにしてボルト６５ｂとナット６５ｃで支持部６５および垂木２を固定一体化する。これにより、固定金具６は、棟梁１および垂木２に固定されることとなる。この棟梁１は、幅１２０ｍｍ、高さ２１０ｍｍの長尺に形成され、垂木２は、幅３８ｍｍ、高さ８９ｍｍの長尺に形成されており、上記固定金具６の各寸法は、これら棟梁１および垂木２に合わせて構成されている。この固定金具６の各寸法としては、特に上記したものに限定されるものではなく、これら棟梁１や垂木２の大きさに合わせて適宜変更される。具体的には、この固定金具６の固定面６４に固定した安全帯取付具７に１１．５ｋＮの引張荷重をかけた場合に破断しない強度を確保するように固定できる寸法とされる。
【００１９】
安全帯取付具７は、長板状の鋼板の両端を折り曲げて形成されており、一端側は安全帯（図示省略）を取り付ける取付部７１となされており、他端側は固定金具６の固定面６４に固定するための固定部７２となされている。この安全帯取付具７は、固定部７２を固定金具６の固定面６４に当接して両者をボルト７３で固定することによって固定される。この固定金具６に安全帯取付具７を固定した状態で、安全帯取付具７の中央本体部分７０は、屋根葺材４と水切り５との間隙で屋根の勾配に沿うようになされており、水切り５から外側の位置で上方に屈曲された取付部７１が突出するようになされている。
【００２０】
次に、この安全帯取付具構造の施工方法について説明する。
【００２１】
まず、図２に示すように、棟梁１、垂木２、片棟破風下地板２１、下地板２２などの躯体を施工する際に、上記した要領で棟梁１および垂木２に固定金具６を固定する。この際、この固定金具６の固定面６４は、下地板２２を切り欠いた開口部分から露出させる。また、隣接する垂木２の上端部間には、片棟破風下地板２１に沿うように力板２３を設ける。
【００２２】
その後、図３（ａ）に示すように、下地板２２よりも下側の垂木２の上面に野地板３を設ける。
【００２３】
ついで、図３（ｂ）に示すように、下地板２２の表面に、捨て水切り５１を設ける。
【００２４】
その後、図４（ａ）に示すように、捨て水切り５１の差込部５１ａに屋根葺材４を差し込んで野地板３上に屋根葺材４を葺く。また、固定金具６の固定面６４に安全帯取付具７の固定部７２をボルト７３で固定する。この際、安全帯取付具７の固定部７２の上面には、この安全帯取付具７と、捨て水切り５１の表面に設けられる水切り５との間隙を閉塞する弾性体からなる水密材７４を設ける。
【００２５】
そして最後に、図４（ｂ）に示すよに、この捨て水切り５１の上から水切り５を設けて仕上げられる。
【００２６】
この安全帯取付具構造によると、安全帯取付具７は、垂木２に設けた下地板２２に固定するのではなく、棟梁１および垂木２に対して強固に固定した固定金具６を介して固定しているので、充分な強度を確保することができる。また、固定金具６の両側から挟持固定している垂木２は、力板２３によって水平方向の剛性を確保されているので、固定金具６は、水平方向に加わる荷重に対しても充分な強度を確保することができる。
【００２７】
また、この固定状態で、安全帯取付具７は、屋根葺材４と水切り５との間に支持された固定金具６の固定面６４に固定して、屋根葺材４と水切り５との間から露出させるので、防水性を容易に確保することができる。
【００２８】
なお、本実施の形態では、屋根葺材４は、通常のセメント瓦となされているが、屋根葺材４に合わせた捨て水切り５１を用いることで、粘土瓦、金属瓦などの各種屋根葺材４を用いてもよい。
【産業上の利用可能性】
【００２９】
屋根の保守点検などの際に安全帯を取り付けるための安全帯取付具を有する住宅建物に利用できる。
【図面の簡単な説明】
【００３０】
【図１】本発明に係る安全帯取付具構造の全体構成の概略を示す断面図である。
【図２】安全帯取付具構造の施工工程を示す部分斜視図である。
【図３】（ａ）および（ｂ）は、安全帯取付具構造の施工工程を示す部分斜視図である。
【図４】（ａ）は本発明に係る安全帯取付具構造の施工工程を示す部分斜視図、（ｂ）は同施工完了状態を示す部分斜視図である。
【図５】本発明に係る安全帯取付具構造に用いられる固定金具と棟梁および垂木との固定状態を説明する斜視図である。
【符号の説明】
【００３１】
１  棟梁
１１  孔
２  垂木
３  野地板
４  屋根葺材
５  水切り
６  固定金具
６１  当接面
６２  差込部
６２ａ  孔
６３  ドリフトピン
６４  固定面
６５  支持部
７  安全帯取付具
【図１】
2006342600.tif 000003
【図２】
2006342600.tif 000004
【図３】
2006342600.tif 000005
【図４】
2006342600.tif 000006
【図５】
2006342600.tif 000007